(57)【要約】【課題】  収容部を備えるタンク蓋ユニットにおいて、タンク蓋部と収容部の間の隙間を確保しながら、収容部内の温度上昇を抑制する技術を開示する。【解決手段】  燃料タンク蓋ユニットは、タンク蓋部と、収容部と、支持部を備えている。タンク蓋部は、燃料タンク上部の開口を塞ぐ。収容部は、タンク蓋部の上に設けられており、内部空間に電子回路が収容される。支持部は、タンク蓋部と収容部の底部の間に設けられており、タンク蓋部と収容部の間に隙間を形成している。この燃料タンク蓋ユニットでは、収容部の壁面に、収容部の外部に向けて突出する突出部が設けられている。突出部は、少なくとも収容部の底部に設けられている。なお、タンク蓋部と収容部の間の隙間は、タンク蓋ユニット外の空間と連通している。【選択図】  図３
2018112138.tif 000002
【特許請求の範囲】
【請求項１】
燃料タンク上部の開口を塞ぐタンク蓋部と、
タンク蓋部の上に設けられており、内部空間に電子回路が収容される収容部と、
タンク蓋部と収容部の底部の間に設けられており、タンク蓋部と収容部の間に隙間を形成している支持部と、
を備えている燃料タンク蓋ユニットであり、
収容部の壁面に、収容部の外部に向けて突出する突出部が設けられており、
突出部は、少なくとも収容部の底部に設けられており、
前記隙間は、燃料タンク蓋ユニット外の空間と連通している、燃料タンク蓋ユニット。
【請求項２】
前記底部に、複数の突出部が設けられている請求項１に記載の燃料タンク蓋ユニット。
【請求項３】
収容部の上部に、突出部が設けられている請求項１又は２に記載の燃料タンク蓋ユニット。
【請求項４】
収容部の側部に、突出部が設けられている請求項１から３のいずれか一項に記載の燃料タンク蓋ユニット。
【請求項５】
少なくとも１つの突出部の内部空間側に、窪みが形成されている請求項１から４のいずれか一項に記載の燃料タンク蓋ユニット。
【請求項６】
前記窪みの内面が、前記窪みが形成されていない非窪み面に対し、前記窪みの開口部から前記窪みの底部に向けて傾斜している請求項５に記載の燃料タンク蓋ユニット。
【請求項７】
前記壁面に貫通孔が設けられており、貫通孔の開口が、通気性を有する防水膜で覆われている請求項１から６のいずれか一項に記載の燃料タンク蓋ユニット。
【請求項８】
前記底部に設けられている突出部が、タンク蓋部と接している請求項１から７のいずれか一項に記載の燃料タンク蓋ユニット。
【請求項９】
タンク蓋部と収容部が、一体である請求項１から８のいずれか一項に記載の燃料タンク蓋ユニット。
【発明の詳細な説明】
【技術分野】
【０００１】
本明細書は、燃料タンクの蓋として用いられる燃料タンク蓋ユニットに関する。
【背景技術】
【０００２】
特許文献１に、燃料タンクの蓋部分（タンク蓋部）に、燃料タンク内のポンプを駆動する電子回路を収容する収容部を取り付けた燃料タンク蓋ユニットが開示されている。特許文献１では、タンク蓋部と収容部の間に隙間（通気空間）を設けている。特許文献１では、タンク蓋部と収容部の間に隙間を設けることにより、タンク蓋部を透過した気化燃料を、収容部内に侵入させることなく、外部空間に排出している。
【先行技術文献】
【特許文献】
【０００３】
【特許文献１】特開２０１６−２３５９２号公報
【発明の概要】
【発明が解決しようとする課題】
【０００４】
タンク蓋部と収容部の間に隙間を設けると、その隙間の分だけ燃料タンク蓋ユニットの高さが高くなる。一方、燃料タンク蓋ユニットの高さを変えることなくタンク蓋部と収容部の間に隙間を設けると、収容部内の空間が狭くなり、電子回路で発生した熱により、収容部内の雰囲気温度が高くなる。電子回路周囲の雰囲気温度が高くなると、電子回路の動作に悪影響を及ぼすことが懸念される。本明細書は、収容部を備えるタンク蓋ユニットにおいて、タンク蓋部と収容部の間の隙間を確保しながら、収容部内の温度上昇を抑制する技術を開示する。
【課題を解決するための手段】
【０００５】
本明細書で開示する燃料タンク蓋ユニットは、タンク蓋部と、収容部と、支持部を備えている。タンク蓋部は、燃料タンク上部の開口を塞ぐ。収容部は、タンク蓋部の上に設けられており、内部空間に電子回路が収容される。支持部は、タンク蓋部と収容部の底部の間に設けられており、タンク蓋部と収容部の間に隙間を形成している。この燃料タンク蓋ユニットでは、収容部の壁面に、収容部の外部に向けて突出する突出部が設けられている。なお、突出部は、少なくとも収容部の底部に設けられている。また、タンク蓋部と収容部の間の隙間は、燃料タンク蓋ユニット外の空間と連通している。
【０００６】
上記燃料タンク蓋ユニットでは、収容部の壁面に外部に向けて突出する突出部が設けられている。突出部を設けることにより、壁面（外壁面）の表面積が増加し、壁面と外気の接触面積が増大する。収容部内の熱が壁面から外気に放出され易くなり、収容部内が高温になることを抑制することができる。また、上記燃料タンク蓋ユニットでは、少なくとも収容部の底部に突出部が設けられている。底部に設けられている突出部は、タンク蓋部に向けて突出する。すなわち、突出部が、収容部とタンク蓋部の間の隙間に突出する。底部に突出部を設けても、収容部（燃料タンク蓋ユニット）の高さは高くならない。底部に設けられる突出部は、燃料タンク蓋ユニットの高さを高くすることなく、収容部の壁面と外気との接触面積を増大させる。
【図面の簡単な説明】
【０００７】
【図１】燃料タンク蓋ユニットの基本構造の断面図を示す。
【図２】燃料タンク蓋ユニットの基本構造の平面図を示す。
【図３】第１実施例の燃料タンク蓋ユニットの断面図を示す。
【図４】第２実施例の燃料タンク蓋ユニットの断面図を示す。
【図５】第３実施例の燃料タンク蓋ユニットの断面図を示す。
【図６】第４実施例の燃料タンク蓋ユニットの断面図を示す。
【図７】第５実施例の燃料タンク蓋ユニットの断面図を示す。
【図８】突出部の断面図を示す。
【図９】突出部の断面図を示す。
【図１０】突出部の断面図を示す。
【図１１】突出部の断面図を示す。
【図１２】第６実施例の燃料タンク蓋ユニットの断面図を示す。
【図１３】第７実施例の燃料タンク蓋ユニットの断面図を示す。
【図１４】第８実施例の燃料タンク蓋ユニットの断面図を示す。
【図１５】第９実施例の燃料タンク蓋ユニットの断面図を示す。
【図１６】第１０実施例の燃料タンク蓋ユニットの断面図を示す。
【図１７】従来の燃料タンク蓋ユニットの断面図を示す。
【発明を実施するための形態】
【０００８】
本明細書で開示する燃料タンク蓋ユニットの主要な特徴を以下に列記する。なお、以下に記載する技術要素は、それぞれ独立した技術要素であって、単独であるいは各種の組合せによって技術的有用性を発揮するものである。なお、本明細書における「上」，「上部」，「上方」等の表現は重力方向の上側を意味し、「下」，「下部」，「下方」等の表現は重力方向の下側を意味する。
【０００９】
燃料タンク蓋ユニットは、燃料タンクの上部に配置され、燃料タンクの上部の開口を塞いでいてよい。燃料タンク蓋ユニットは、燃料タンク上部の開口を塞ぐタンク蓋部と、タンク蓋部の上に設けられている収容部を備えていてよい。収容部は、支持部によって、タンク蓋部に支持されていてよい。タンク蓋部と収容部の間には、隙間が設けられていてよい。隙間は、燃料タンク蓋ユニット外の空間（外部空間）と連通していてよい。すなわち、支持部は、タンク蓋部と収容部の底部の間に設けられており、タンク蓋部と収容部の間に外部空間と連通する隙間を形成していてよい。支持部は、タンク蓋部と一体であってよい。また、支持部は、収容部の底部と一体であってもよい。あるいは、タンク蓋部，支持部及び収容部の底部が一体であってもよい。なお、本明細書でいう「一体」とは、押出成型等で一体に成型された分離不能な一体物のことを意味する。
【００１０】
収容部は、電子回路を収容する内部空間を備えていてよい。収容部は、内部空間を囲って上下方向に延びている側部と、側部の下方に設けられている底部と、側部の上方に設けられている上蓋部を備えていてよい。側部と底部は一体であってよい。また、側部と上蓋部は、分離可能な別体であってよい。なお、上記した支持部は、底部の端部（側部が上下方向に延びる部分）を支持していてもよいし、底部の端部以外の部分（側部から離れた部分）を支持していてもよい。支持部が底部の端部を支持する場合、支持部は、収容部の側部から連続して延びていてよい。すなわち、収容部を平面視したときに、支持部と収容部の側部が重複していてよい。
【００１１】
タンク蓋部と収容部は、樹脂製であってよい。また、タンク蓋部と、収容部の側部と底部は同じ樹脂材料で形成されていてよい。収容部の上部蓋は、収容部の他の部分（側部，底部）と同じ樹脂材料であってもよいし、異なる樹脂材料であってもよい。また、上部蓋は、樹脂以外の材料、例えば金属製であってもよい。
【００１２】
収容部の壁面に、収容部の外部に向けて突出する突出部が設けられていてよい。収容部の壁面として、上記した上部蓋，側部，底部が挙げられる。突出部は、収容部の壁面自体が外部に向けて突出したものであってもよいし、収容部とは異なる部材（突出部材）を収容部の壁面に取り付けて形成されていてもよい。何れの形態も、壁面の表面積（外壁の表面積）が増加するので、壁面と外気の接触面積が増加し、収容部内の熱が外気に放出され易くなる。すなわち、収容部の放熱性（収容部内の冷却性）が向上する。突出部材を収容部の壁面に取り付ける場合、突出部材の材料は、壁面の材料と同一であってもよいし、壁面の材料と異なっていてもよい。例えば、壁面の材料が樹脂である場合、金属製の突出部材を壁面に取り付けることにより、同一材料（樹脂製）の突出部材を壁面に取り付けるより放熱性を向上させることもできる。
【００１３】
突出部は、少なくとも収容部の底部に設けられていてよい。収容部の底部に突出部を設けると、収容部の高さ（燃料タンク蓋ユニット）の高さを変えることなく、収容部の壁面（底部）の表面積を増大させることができる（収容部の放熱性を向上させることができる）。突出部は、収容部の底部に１個設けられていてもよいし、複数設けられていてもよい。また、収容部の底部に加え、収容部の上部、及び／又は、収容部の側部に突出部が設けられていてもよい。さらに、収容部の放熱性を向上させることができる。収容部の上部、側部に設ける突出部も、１個であってもよいし、複数であってもよい。
【００１４】
収容部の底部に設けられている突出部は、タンク蓋部と接していてもよい。収容部が突出部によってタンク蓋部に支持されるので、収容部の剛性が向上する。
【００１５】
突出部の内部空間側に、窪みが形成されていてもよい。すなわち、収容部の壁面の外表面が外部に向けて突出し、収容部の壁面の内表面も外部に向けて突出していてよい。収容部内に窪みを設けることにより、収容部の内部空間を画定する壁面（内表面）の面積が増大する。収容部の内部空間と壁面の接触面積が増大し、収容部内の熱が壁面に伝達し易くなる。なお、収容部の壁面に複数の突出部が設けられている場合、全ての突出部の内部空間側に窪みが形成されていてもよいし、一部の突出部の内部空間側にのみ窪みが形成されていてもよい。すなわち、少なくとも１つの突出部の内部空間側に窪みが形成されていればよい。
【００１６】
窪みが形成されている部分の突出部の断面形状は、四角形（正方形、長方形、台形）の一辺を削除した形状であってもよいし、三角形の一辺を削除した形状であってもよいし、円弧状であってもよい。また、窪みの内面が、窪みが形成されていない非窪み面に対し、窪みの開口部から窪みの底部に向けて傾斜していてもよい。なお、ここでいう「傾斜」とは、非窪み面を延長した第１延長線と、窪みの内面を延長した第２延長線とが成す角度が、９０度未満であることをいう。すなわち、窪みを平面視（窪みの開口に直交する方向から観察）したときに、窪みの内面（窪みを画定している突出部の内側表面）の全体が観察されてよい。収容部の壁面が、輻射熱を均一に受熱し、壁面の温度が過度に上昇することを抑制することができる。すなわち、輻射熱を受熱しにくい面がなくなり、収容部の壁面全体で受熱することにより、結果として壁面の温度上昇を抑制することができる。特に、樹脂製の収容部において、樹脂の軟化等を抑制する効果が得られる。
【００１７】
収容部の壁面全体が外部に向けて突出し、収容部内に窪みが形成されていてもよい。すなわち、収容部の壁面が、その壁面の端部から中央部に向けて湾曲していてもよい。この場合も、壁面の面積（外表面積）が増大し、収容部の放熱性を向上させることができる。すなわち、収容部の壁面全体が外部に向かって突出し、収容部に突出部が形成されていてもよいし、収容部の壁面の一部が外部に向かって突出していてもよい。
【００１８】
収容部に収容される電子回路は、基板と、基板上に配置された複数の電子部品を備えていてよい。また、電子部品の少なくとも一部が、上記窪み内に位置していてよい。なお、電子回路は、少なくともキャパシタを備えていてよい。その場合、キャパシタの少なくとも一部が、上記窪み内に位置していてよい。典型的に、キャパシタは、電子回路に搭載される電子部品の中で、最もサイズが大きい。そのため、キャパシタを窪み内に位置させることにより、収容部の高さが高くなることが抑制される。すなわち、電子回路に搭載されているキャパシタの一部が窪み内に存在するように収容部の底部に窪みが設けられていてよい。
【００１９】
なお、収容部の底部全体が外部に向けて突出している場合、収容部に収容される電子部品は、電子回路の中央にキャパシタが搭載されているものであってよい。内部空間の高さが高い部分にキャパシタを配置することができるので、収容部の高さが高くなることを抑制することができる。
【００２０】
電子回路には、内部ターミナルと外部ターミナルが接続されていてよい。内部ターミナルは、収容部の底部とタンク蓋部を通過し、収容部内から燃料タンク内まで延びていてよい。また、内部ターミナルは、収容部を支持する支持部を通過していてもよい。この場合、内部ターミナルは、燃料タンク蓋ユニットの外部に露出することなく、収容部内から燃料タンク内に延びている。内部ターミナルは、収容部内の電子回路と、燃料タンク内の電子機器を接続していてよい。外部ターミナルは、収容部の内部空間から、底部、及び／又は、側部を通過し、収容部外に配置される外部端子まで延びていてよい。外部ターミナルは、電子回路と外部端子を接続していてよい。
【実施例】
【００２１】
図１及び図２を参照し、燃料タンク蓋ユニット１の基本構造について説明する。図１に示すように、燃料タンク蓋ユニット１は、燃料供給装置１００の一部を構成している。燃料供給装置１００は、燃料タンク５０と、燃料タンク蓋ユニット１を備えている。燃料タンク５０内には、燃料を内燃機関に送り出す燃料ポンプ（図示省略）が配置されている。燃料タンク蓋ユニット１は、タンク蓋部２と収容部６と支持部５を備えている。タンク蓋部２は、燃料タンク５０の上部に設けられている開口を塞いでいる。支持部５によって、タンク蓋部２上の一部に収容部６が配置されている。収容部６内には、燃料ポンプを制御する電子回路８が配置されている。
【００２２】
電子回路８には、内部ターミナル１０と外部ターミナル１２が接続されている。内部ターミナル１０は、燃料ポンプと電子回路８を接続している。内部ターミナル１０は、タンク蓋部２を貫通し、収容部６内から燃料タンク５０内に延びている。外部ターミナル１２は、外部端子（図示省略）と電子回路８を接続している。外部ターミナル１２は、収容部６の壁内を通過し、外部端子が接続されるコネクタ４に延びている。なお、図２に示すように、タンク蓋部２は円形のプレートであり、タンク蓋部２上には、燃料タンク５０内から送り出される燃料を吐出する吐出口６０も設けられている。
【００２３】
以下、収容部６の具体例（収容部６ａ〜６ｊ）について説明する。なお、以下の説明では、内部ターミナル１０，外部ターミナル１２及びコネクタ４の図示を省略している。
【００２４】
（第１実施例）
図３を参照し、収容部６ａについて説明する。収容部６は、底部１８，側部１４及び上蓋１６を備えている。収容部６は、支持部５によってタンク蓋部２の上に支持されている。その結果、タンク蓋部２と収容部６の間には、隙間７０が設けられている。なお、タンク蓋部２，支持部５，収容部６（底部１８及び側部１４）は一体であり、一部品である。タンク蓋部２，支持部５，収容部６（底部１８及び側部１４）は、樹脂製である。上蓋１６は、金属製であり、側部１４に固定されている。なお、支持部５は、側部１４、または、底部１８の端部がタンク蓋部２側に延びた延長部と捉えることもできる。
【００２５】
底部１８に、タンク蓋部２に向けて突出している突出部２０が設けられている。複数の突出部２０が、底部１８にほぼ等間隔に設けられている。突出部２０における底部１８の厚みは、突出部２０が設けられていない部分の底部１８の厚みと等しい。そのため、収容部６ａ内に、突出部２０が設けられている部分に対応して、窪み２２が形成されている。すなわち、突出部２０の内部空間側に、窪み２２が形成されている。
【００２６】
収容部６ａ内に、電子回路８が配置されている。電子回路８は、底部１８から延びる支柱１３に固定されており、収容部６ａ内の上方に配置されている。支柱１３は、突出部２０が設けられていない部分の底部１８上に固定されている。すなわち、支柱１３は、窪み２２内には存在しない。電子回路８は、複数の電子部品７を備えている。なお、電子回路８に接続されている内部ターミナル（図１を参照）は、側部１４，支持部５及びタンク蓋部２を通過して、収容部６ａ内から燃料タンク５０内に延びている。
【００２７】
収容部６ａを備える燃料タンク蓋ユニット１の利点を説明する。上記したように、収容部６ａ内に電子回路８が配置されている。電子回路８は、駆動することによって発熱する。その結果、収容部６ａ内の温度が上昇する。収容部６ａ内の温度が上昇すると、電子回路８の動作に悪影響を及ぼすことがある。収容部６ａは、底部１８に突出部２０が設けられている。そのため、図１７に示す底部１８に突出部が設けられていない従来の収容部１０６と比較して、底部１８（底部１８の外表面）と隙間７０（外部空間）との接触面積が増大する。そのため、収容部６ａは、収容部１０６と比較して、収容部６ａ内の熱が外部に放出されやすい。放熱性を向上させることにより、収容部６ａ内の温度上昇が抑制され、電子回路８の動作に悪影響を及ぼすことを防止することができる。
【００２８】
また、収容部６ａでは、突出部２０が設けられている位置に、窪み２２が設けられている。そのため、収容部６ａは、収容部１０６（図１７を参照）と比較して、収容部６ａの内部空間と底部１８（底部１８の内表面）との接触面積も増大する。収容部６ａは、収容部１０６と比較して、収容部内の熱が底部１８に伝わり易く、放熱性がさらに向上する。
【００２９】
収容部６ａを備える燃料タンク蓋ユニット１の他の利点を説明する。燃料タンク蓋ユニット１は、樹脂製であり、金型に樹脂を充填して成型される。燃料タンク蓋ユニット１では、隙間７０を形成するために、隙間７０の形状をした金型部品が用いられる。底部１８に突出部２０を設けることにより、隙間７０を形成するための金型部品に厚肉部と薄肉部を設けることができる。金型部品に肉厚部を設けることにより、金型部品の剛性を高くすることができ、金型の寿命を長くすることができる。また、金型部品の剛性が高くなるので、タンク蓋部２と収容部６ａの間の隙間７０を精度よく形成することができる。なお、収容部１０６の場合、隙間７０を形成するための金型部品は平板である。
【００３０】
以下、収容部６ｂ〜６ｊについて説明する。収容部６ｂ〜６ｊは、収容部６ａの変形例である。収容部６ｂ〜６ｊにおいて、収容部６ａと共通する特徴については、収容部６ａを同じ参照番号を付すことにより、説明を省略することがある。
【００３１】
（第２実施例）
図４を参照し、収容部６ｂについて説明する。収容部６ｂは、底部１８の外表面（タンク蓋部２側の面）に、突出部２０が設けられている。突出部２０と底部１８は一体である。すなわち、突出部２０と底部１８の材料は同一である。収容部６ｂでは、底部１８に窪みが形成されていない（図３を比較参照）。そのため、収容部６ｂでは、突出部２０が設けられている部分で、底部１８の厚みが厚くなっていると捉えることができる。収容部６ｂも、収容部１０６（図１７を参照）と比較して、底部１８の外表面と外部空間（隙間７０）との接触面積が増大する。また、収容部６ｂは、底部１８の厚みが部分的に厚くなっているので、底部１８の剛性を高くすることができる。
【００３２】
なお、突出部２０は、底部１８とは別部品であってもよい。すなわち、底部１８に、底部１８とは別部品の突出部材（突出部２０）を取り付けてもよい。この場合、突出部２０は、底部１８とは異なる材料を用いることができる。例えば、金属製の突出部２０を用いることによって、放熱性をさらに向上させることもできる。
【００３３】
（第３実施例）
図５を参照し、収容部６ｃについて説明する。収容部６ｃでは、上蓋１６ｃにも、突出部３０及び窪み３２が設けられている。突出部３０及び窪み３２の形状は、底部１８に設けられている突出部２０及び窪み２２とほぼ等しい。上蓋１６ｃと底部１８の双方に突出部（突出部２０，３０）を設けることにより、収容部６ｃの上下で外表面と外部空間との接触面積が増大し、放熱性をさらに向上させることができる。また、上蓋１６ｃと底部１８の双方に窪み（窪み２２，３２）を設けることにより、収容部６ｃの内表面と収容部６ｃの内部空間との接触面積もさらに増大し、壁面（上蓋１６ｃ，底部１８）への伝熱がさらに向上する。
【００３４】
なお、上蓋１６ｃは、収容部６ｃの他の壁面（側部１４、底部１８）とは別部材である。収容部６ｃは、収容部６ａ（図３を参照）において、上蓋１６に代えて上蓋１６ｃを用いたものに相当する。収容部６ｂ（図４を参照）においても、上蓋１６に代えて上蓋１６ｃを用いることができる。
【００３５】
（第４実施例）
図６を参照し、収容部６ｄについて説明する。収容部６ｄは、収容部６ｃの変形例である。収容部６ｄでは、側部１４ｄにも突出部４０が設けられている。収容部６ｄは、収容部６ｃよりも外部空間との接触面積を増大させることができ、さらに放熱性を向上させることができる。なお、側壁に突出部を設けるという特徴は、収容部６ａ，６ｂにも適用することができる。
【００３６】
（第５実施例）
図７を参照し、収容部６ｅについて説明する。収容部６ｅでは、突出部２０が形成されている部分において、底部１８が、突出部２０の起点から突出部２０の先端（タンク蓋部２側の端部）に向けて傾斜している。換言すると、窪み２２の内面が、窪み２２が形成されていない非窪み面（支柱１３が設けられている底部１８の表面等）に対し、窪み２２の開口部から窪み２２の底部に向けて傾斜している。収容部６ｅは、傾斜した突出部２０を備えているので、電子回路８からの熱が底部１８の全体に伝わり易い。収容部６ｅは、壁面全体で受熱することができるので、壁面に受熱しにくい部分が設けられている形態と比較して、壁面温度が過度に上昇することを抑制することができる。
【００３７】
図８及び図９を参照し、傾斜した突出部２０を備える利点をより詳細に説明する。図８の突出部２０ａは、窪み２２の内面が四角形の一辺を削除した形状であり、収容部６ａ及び６ｃに形成されている突出部２０に相当する。突出部２０ａでは、窪み２２の内面が壁面５２と底面（底部）５４で構成されている。壁面５２は、窪み２２が形成されていない非窪み面５６に対して垂直である。すなわち、壁面５２と非窪み面５６が成す角度は９０度であり、壁面５２は、窪み２２の開口部から窪み２２の底部に向けて、傾斜していない。そのため、突出部２０ａでは、窪み２２を平面視（矢印５５方向に観察）したときに、壁面５２は観察されない。
【００３８】
図９の突出部２０ｂは、窪みの内面が三角形の一辺を削除した形状であり、収容部６ｅに形成されている突出部２０に相当する。突出部２０ｅでは、窪み２２の内面が壁面５２，５２で構成されている。壁面５２，５２の交点５４が窪み２２の底部である。壁面５２は、窪み２２の開口部から窪み２２の底部（交点５４）に向けて傾斜している。すなわち、壁面５２と非窪み面５６が成す角度は９０度未満である。そのため、突出部２０ｂでは、窪み２２を平面視（矢印５５方向に観察）したときに、窪み２２の内面全体（壁面５２）が観察される。
【００３９】
上記したように、突出部２０ｂを矢印５５方向に観察する（窪み２２を平面視）と、窪み２２の内面（壁面５２）全体が観察される。そのため、電子部品７からの輻射熱が、窪み２２の内面全体に届く。突出部２０ｂは、電子部品７の輻射熱を窪み２２の内面全体で受熱することができる（図７も参照）。一方、突出部２０ａ（図８を参照）の場合、窪み２２を平面視したときに壁面５２が観察されないので、電子部品７で生じた輻射熱は壁面５２に届きにくい。突出部２０ａは、電子部品７の輻射熱が吸収されてにくい面（壁面５２）が窪み２２内に存在する。突出部２０ｂは、突出部２０ａと比較して、輻射熱の受熱面積を大きくすることができる。
【００４０】
なお、図１０に示す突出部２０ｃ及び図１１に示す突出部２０ｄも、窪み２２を平面視（矢印５５方向に観察）したときに、窪み２２の壁面５２が、非窪み面５６に対して、窪み２２の開口部から窪み２２の底部５４に向けて傾斜して伸びている。突出部２０ｃ，２０ｄも、輻射熱を窪み２２の内面全体で受熱することができる。
【００４１】
以上、第１実施例〜第５実施例で説明した形態についてまとめる。
形態Ａ：収容部の底部のみに突出部が設けられている（収容部６ａ，６ｂ，６ｅ）
形態Ｂ：収容部の底部と上部蓋に突出部が設けられている（収容部６ｃ）
形態Ｃ：収容部の底部と上部蓋と側部に突出部が設けられている形態（収容部６ｄ）
突出形態１：突出部の内部空間側に窪みが形成されている（収容部６ａ，６ｃ，６ｄ，６ｅ）
突出形態２：収容部の内部空間側に窪みが形成されていない（収容部６ｂ，収容部６ｂの側部１４ｄ）
【００４２】
また、突出形態１についてさらに、突出形態１ａ：突出部２０ａ（図８）、突出形態１ｂ：突出部２０ｂ（図９）、突出形態１ｃ：突出部２０ｃ（図１０）、突出形態１ｄ：突出部２０ｄ（図１１）について説明した。
【００４３】
本明細書で開示する技術は、上記収容部６ａ〜６ｄに限定されるものではなく、形態Ａに突出形態１ａ，１ｂ，１ｃ，１ｄ及び突出形態２の何れかを適用することもでき、形態Ｂに突出形態１ａ，１ｂ，１ｃ，１ｄ及び突出形態２の何れかを適用することもでき、形態Ｃに突出形態１ａ，１ｂ，１ｃ，１ｄ及び突出形態２の何れかを適用することもできる。また、収容部の底部と側部に突出部が設けられている形態（形態Ｄ：図示省略）に、突出形態１ａ，１ｂ，１ｃ，１ｄ及び突出形態２の何れかを適用してもよい。全ての形態に共通することは、少なくとも収容部の底部に隙間（収容部とタンク蓋部の間の隙間）に向けて突出する突出部が設けられているということである。収容部の底部に突出部を設けることにより、収容部を含む燃料タンク蓋ユニットの空間サイズを実質的に増加させることなく、収容部の外表面の面積を増大させることができ、収容部の放熱性を向上させることができる。
【００４４】
実施例の説明を続ける。以下に説明する収容部６ｆ〜６ｊは、収容部６ａの変形例である。すなわち、収容部の底部にのみ突出部を備え（形態Ａ）、内部空間側に窪みが形成されている（突出形態１）。収容部６ｆ〜６ｊについて、収容部６ａとの相違点のみ説明し、収容部６ａと共通する特徴については、収容部６ａと同じ参照番号を付すことにより、説明を省略することがある。
【００４５】
（第６実施例）
図１２を参照し、収容部６ｆについて説明する。収容部６ｆは、底部１８の一部に貫通孔２４が設けられている。貫通孔２４は、突出部２０が設けられていない部分（非窪み面）に設けられている。また、防水膜２６が、貫通孔２４を覆うように、底部１８の表面（収容部６ｆ内側の表面）に設けられている。貫通孔２４を設けることにより、収容部６ｆ内の熱が収容部６ｆ外に放出され易くなる。なお、防水膜２６は、通気性を有するとともに防水性を有している。そのため、貫通孔２４を通じて収容部６ｆ内に水分が侵入することを防止することができる。防水膜２６として、例えば、ＰＴＦＥ（ポリテトラフルオロエチレン）多孔質膜を備えたベントフィルタが用いられる。
【００４６】
（第７実施例）
図１３を参照し、収容部６ｇについて説明する。収容部６ｇは、突出部２０の端部が、タンク蓋部２と接している。すなわち、収容部６ｇの底部１８の一部が、タンク蓋部２に接触している。収容部６ｇは、底部１８とタンク蓋部２の間に隙間を確保しながら、収容部６ｇの剛性を高くすることができる。
【００４７】
上記した収容部６ｆ，６ｇは、防水膜２６を備えている（特徴ｘ）、突出部２０がタンク蓋部２と接している（特徴ｙ）という特徴を備えている。特徴ｘ，ｙは、各々、上記形態Ａ〜Ｄの何れかに突出形態１ａ，１ｂ，１ｃ，１ｄ及び突出形態２の何れかの形態を適用した収容部の全てに適用することができる。
【００４８】
（第８実施例）
図１４を参照し、収容部６ｈについて説明する。収容部６ｈでは、収容部６ｈ内に電子回路８ａが配置されている。電子回路８ａは、複数の電子部品７ａ，７ｂ及び７ｃを備えている。電子部品７ａ，７ｂ及び７ｃのうち、電子部品７ｃが最もサイズ（上下方向の長さ）が大きい。電子部品７ｃは、キャパシタである。収容部６ｈでは、電子部品７ｃの下方が窪み２２内に位置している。電子部品７ｃの一部を窪み２２内に位置させることにより、収容部６ｈの高さ（上下方向の長さ）が高くなることを抑制している。換言すると、電子部品７ｃの一部を窪み２２内に位置させることにより、小さな電子部品（電子部品７ａ，７ｂ）が配置されている部分の底部１８を上方に位置させ、隙間７０のサイズを増大させている。
【００４９】
（第９実施例）
図１５を参照し、収容部６ｉについて説明する。収容部６ｉでは、底部１８が、端部（側部１４側）から突出部２０に向けて下方に傾斜している。そのため、収容部６ｈ（図１４を参照）よりも底部１８の面積が大きくなり、放熱性がさらに向上する。
【００５０】
上記した収容部６ｈは突出部２０の形状が突出形態１ａであり（突出部２０ａ，図９を参照）、収容部６ｉは突出部２０の形状が突出形態１ｂである（突出部２０ｂ，図１０を参照）。収容部６ｈ及び収容部６ｉにおいて、電子部品７ｃの一部が侵入可能な窪み２２が設けられていれば、突出部２０の形状は突出形態１ａ〜１ｄの何れであってもよい。また、形態Ｂ〜Ｄの収容部において、電子部品７ｃの一部が侵入可能な窪み２２が設けることもできる。
【００５１】
（第１０実施例）
図１６を参照し、収容部６ｊについて説明する。収容部６ｊでは、底部１８が、端部（側部１４側）から中央部に向けて下方に円弧状に湾曲している。収容部６ｊでは、底部１８全体が、タンク蓋部２に向けて円弧状に突出している。すなわち、底部１８の全体で突出部２０を形成しており、底部１８（突出部２０）の内部空間側の全体で窪み２２を形成している。収容部６ｊは、電子回路８ｂのように、搭載されている複数の電子部品７ａ，７ｂ，７ｃ，７ｄのうち、中央に大きな電子部品７ｂ，７ｃが配置されている電子回路を収容することに適している。具体的には、収容部６ｊは、電子回路の中央にキャパシタが配置されている電子回路を収容することに好適に用いることができる。底部１８が円弧状に湾曲しているという特徴は、形態Ｂ〜Ｄの収容部にも適用することができる。
【００５２】
上記実施例では、収容部とタンク蓋部が一体の（一体成型された）燃料タンク蓋ユニットについて説明した。しかしながら、収容部とタンク蓋部は別体であってもよい。すなわち、別体の収容部とタンク蓋部を接続して、燃料タンク蓋ユニットが構成されていてもよい。また、収容部の上蓋は、樹脂製であってもよい。この場合、上蓋の材料は、側部と同一の樹脂であってもよいし、側部とは異なる樹脂であってもよい。重要なことは、収容部とタンク蓋部の間に隙間が設けられており、少なくとも収容部の底部に、タンク蓋部に向けて突出する突出部が設けられていることである。
【００５３】
以上、本発明の実施形態について詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【符号の説明】
【００５４】
１：燃料タンク蓋ユニット
２：タンク蓋部
５：支持部
６：収容部
８：電子回路
２０：突出部
２２：窪み
５０：燃料タンク
７０：隙間
【図１】
2018112138.tif 000003
【図２】
2018112138.tif 000004
【図３】
2018112138.tif 000005
【図４】
2018112138.tif 000006
【図５】
2018112138.tif 000007
【図６】
2018112138.tif 000008
【図７】
2018112138.tif 000009
【図８】
2018112138.tif 000010
【図９】
2018112138.tif 000011
【図１０】
2018112138.tif 000012
【図１１】
2018112138.tif 000013
【図１２】
2018112138.tif 000014
【図１３】
2018112138.tif 000015
【図１４】
2018112138.tif 000016
【図１５】
2018112138.tif 000017
【図１６】
2018112138.tif 000018
【図１７】
2018112138.tif 000019